(57)【要約】  【課題】携帯電話の使用時における脳への電磁波の照射量を軽減し、使用者の健康に対する不安を払拭することができる携帯電話機を開発する。  【解決手段】携帯電話機１は、携帯時には二つのケース部２，３が折り畳まれるが、使用時にはケース部２，３を開く。ケース部２，３の内面に操作面が設けられている。携帯電話機１では、使用時に耳に当てる側の面に金属層１２が積層されている（網かけ部分が金属層１２を有する部位）。携帯電話機１からは公知のそれと同様に電波が送信されるが、頭部に当接する側に金属層１２があり、頭部に照射される電磁波が軽減されるので、携帯電話機１，５０，５１を使用しても健康を害する懸念は無い。【選択図】  図１
2006319703.tif 000002
【特許請求の範囲】
【請求項１】
音を拾うマイク部と、耳に当てるレシーバ部が一体化された携帯電話機において、少なくとも耳に当てる側の面に金属層が設けられていることを特徴とする携帯電話機。
【請求項２】
金属層は、携帯電話機の筐体表面に金属箔が貼り付けられたものであることを特徴とする請求項１に記載の携帯電話機。
【請求項３】
金属層は、携帯電話機の筐体表面に金属が溶射されたものであることを特徴とする請求項１に記載の携帯電話機。
【請求項４】
金属層は、携帯電話機の筐体表面に金属が蒸着されたものであることを特徴とする請求項１に記載の携帯電話機。
【請求項５】
金属層は、アルミニウム層であることを特徴とする請求項１乃至４のいずれかに記載の携帯電話機。
【請求項６】
金属層の厚さは、８μｍ以上であることを特徴とする請求項１乃至５のいずれかに記載の携帯電話機。
【請求項７】
金属層は多層に設けられていることを特徴とする請求項１乃至６のいずれかに記載の携帯電話機。
【請求項８】
携帯電話機は、折り畳み構造であり、携帯時はレシーバー部が内側に折り込まれることを特徴とする請求項１乃至７のいずれかに記載の携帯電話機。
【請求項９】
携帯電話機は表示画面を有し、表示画面を除く筐体表面の全域に金属層が設けられていることを特徴とする請求項１乃至８のいずれかに記載の携帯電話機。
【請求項１０】
携帯電話機は筐体表面からアンテナ部が露出し、アンテナ部の一部又は前部には金属層が設けられていることを特徴とする請求項９に記載の携帯電話機。
【発明の詳細な説明】
【技術分野】
【０００１】
本発明は、携帯電話機に関するものである。
【背景技術】
【０００２】
通信手段の一つとして携帯電話（特許文献１）が普及している。携帯電話は、携帯電話機によって音声等を電波に変換して基地局に送信し、当該基地局から交換機等を経由して相手先の基地局と繋がり、さらに相手先の基地局から相手先の携帯電話機に電波が送信されて通話を行うものである。従って通話の際には、携帯電話機からは電波が発信されている。
【特許文献１】特開２００５−２７３４９号公報
【０００３】
携帯電話は、前記した様に電波を発するものであり、且つ直接頭部に押し当てて使用するものであるから、電磁波による脳障害が懸念される。即ち電磁波によって脳が発熱するのではないかという不安や、電磁波の影響によって癌が生じるのではないかという不安がある。
これに対する研究者の報告によると、携帯電話使用時における脳の発熱は無視できる範囲であり、発熱による健康被害は起こらないとされている。
また電磁波による発癌性については、１９９６年５月にＷＨＯが発足させた電磁波の健康や環境への影響を評価する「国際電磁界プロジェクト」の研究があり、当該研究によると携帯電話による発癌性は否定されている。
このような研究結果から、現在のところ、携帯電話による健康被害は無いとされている。
【発明の開示】
【発明が解決しようとする課題】
【０００４】
しかしながら、携帯電話は開発されて間もない商品である。そのため長期使用における障害の有無については、データが無いのが実情であり、長期間の使用による健康被害が無いと断定できる証拠は無い。
そこで本発明は、携帯電話の使用時における脳への電磁波の照射量を軽減し、使用者の健康に対する不安を払拭することができる携帯電話機を開発することを課題とするものである。
【課題を解決するための手段】
【０００５】
そして上記した課題を解決するための請求項１に記載の発明は、音を拾うマイク部と、耳に当てるレシーバ部が一体化された携帯電話機において、少なくとも耳に当てる側の面に金属層が設けられていることを特徴とする携帯電話機である。
【０００６】
本発明の携帯電話機は、耳に当てる側の面に金属層が設けられているので、当該金属層によって電磁波が軽減される。そのため長期間に渡って携帯電話を使用しても電磁波による健康被害の懸念は無い。
【０００７】
金属層は、携帯電話機の筐体表面に金属箔が貼り付けることによって形成することができる（請求項２）。
【０００８】
また金属層は、携帯電話機の筐体表面に金属が溶射されたものであってもよい（請求項３）。
【０００９】
さらに金属層は、携帯電話機の筐体表面に金属が蒸着されたものであってもよい（請求項４）。
【００１０】
金属層は、アルミニウム層であることが望ましい（請求項５）。
【００１１】
金属層の厚さは、８μｍ以上であることが望ましい（請求項６）。
【００１２】
また金属層は多層に設けられていることが推奨される（請求項７）。
【００１３】
また本発明に採用される携帯電話は、折り畳み構造であり、携帯時はレシーバー部が内側に折り込まれることが望ましい（請求項８）。
【００１４】
携帯電話は、一般的に表示画面を持つが、表示画面を除く筐体表面の全域に金属層が設けられていてもよい（請求項９）。
【００１５】
またアンテナ部が露出した携帯電話機においては、アンテナ部の一部又は前部に金属層が設けられていないことが望ましい（請求項１０）。
【発明の効果】
【００１６】
本発明の携帯電話機は、耳に当てる側の面に金属層が設けられているので、当該金属層によって電磁波が軽減され、長期間に渡って携帯電話を使用しても電磁波による健康被害の懸念は無い。
【発明を実施するための最良の形態】
【００１７】
以下さらに本発明の実施形態について説明する。
図１は、従来技術の携帯電話機（ａ）と、本発明の携帯電話機（ｂ）の使用状態における斜視図である。図２は、従来技術及び本発明の携帯電話機の携帯時における形状を示す斜視図である。
【００１８】
図１において、（ａ）示す携帯電話機１００は、従来技術の携帯電話機であり、同（ｂ）示す携帯電話機１は、本発明の実施形態の携帯電話機である。
両者の携帯電話としての基本機能および構造は、同一であり、本体が二つ折れの折り畳み構造である。即ち携帯電話機１，１００は、いずれも二つのケース部２，３を有し、両者は図示しないヒンジによって結合されている。
携帯電話１，１００は、携帯時には図２の様に二つのケース部２，３が折り畳まれているが、使用時には図１の様にケース部２，３を開く。そして公知のそれと同様にケース部２，３の内面に操作面が設けられている。
【００１９】
即ち二つのケースの内、上部側に図示されたケース部２は、内側の中央にディスプレイ（表示画面）５があり、内面の上端部にレシーバ部６がある。レシーバ部６は、小型のスピーカが内蔵された部位であり、音声が発せられる。
【００２０】
一方、下部側に図示されたケース部３の内側には、公知のそれと同様に多数の操作スイッチ１０とマイク１１が設けられている。操作スイッチ１０及びマイク１１は公知であるから詳細な説明を省略する。
【００２１】
そして本発明の携帯電話機１では、使用時に耳に当てる側の面に金属層１２が積層されている（網かけ部分が金属層１２を有する部位）。言い換えれば二つのケース部２，３のそれぞれの内側の表面に、金属層１２が設けられている。ただし、ディスプレイ５や操作スイッチ１０の部分の様に、技術的に金属層を積層させることが困難である箇所には、金属層は無い。
【００２２】
金属層１２は、鉄、ニッケル、アルミニウム等の薄膜層であり、その厚さは、８μｍ以上である。より望ましい厚さは、１８μｍ以上である。また、金属層１２は、２以上の層が積層されていることが望ましい。例えば、中間部に樹脂層を挟んで８μｍ以上の金属層が２層〜３層、積層されたものであることが推奨される。
【００２３】
金属層は、ケース部２の筐体表面に、図３に示すようなシート２０を接着剤で貼り付けることによって設けることができる。
図３は、金属層を積層するために貼り付けられるシートの断面図である。図４は、金属層を積層するために貼り付けられるシートの素材の断面図である。図５は、積層シートの予備加工の手順を示す説明図である。
【００２４】
携帯電話機１の表面に貼着するシート２０は、例えば図３（ａ）の様に中間部にアルミニウム箔等の金属層２１を有し、その上面に保護層たる樹脂層２２を備え、金属層２１の下面側には接着剤層２３が積層されたものである。
またより好ましいシート２６は、例えば図３（ｂ）の様に中間部に２層のアルミニウム層３０，３１を備え、上下の最外層に保護層たる樹脂層２２と、接着剤層２３が積層されたものである。シート２６では、２層のアルミニウム層３０，３１の間に樹脂層３２が介在されている。
上記のシート２０，２６は、表面が無地であっても良いが、柄や絵、写真等がプリントされていてもよい。
【００２５】
次にシートを使用して金属層を積層する場合の好ましい積層方法について説明する。
本実施形態では、シートは図４（ａ，ｂ）に示すように、前記した図３のシート２０，２６の接着剤層２３に離型紙層３３が積層されたシート素材３６，３７を使用し、これを、図５に示すように予備加工した後に、携帯電話機１のケース部２，３のそれぞれの内側の表面に貼着する。
即ち公知のカッティングマシンに携帯電話機１の形状や、ディスプレイ等の位置や大きさを予め記憶させておき、図５（ａ）の様な未加工のシート素材３５，３６をカッティングマシンにかけ、同（ｂ）の様に携帯電話機１の形状やスイッチの配置に応じてシート素材３５，３６に切り目を入れる。なおカッティングマシンに代わって、シール印刷機を使用し、切り目の形成と模様の印刷を同時に行ってもよい。ここでシール印刷機とは、プリンタ機能と、カッティングマシンの機能を併せ持った装置であり、シート素材３５，３６に所望の印刷を行うと同時に所望の形状にシートを切り抜くことができる。
【００２６】
そして図５（ｃ）の様に、シート素材３５，３６から、切り抜かれた部分を取り出す。その後、裏面側の離型紙層３３をはぎ取って接着剤層２３を露出させ、ケース部２，３の筐体表面に、貼着する。
【００２７】
また他の方策として、図６に示す様に、ケース部２，３の筐体表面に、アルミニウム層を蒸着したり、溶射することによって金属層３８を設けてもよい。
即ち図６は、本発明の他の実施形態の携帯電話の表面構造を示す断面図である。
【００２８】
以上説明した実施形態では、折り畳み構造の携帯電話の耳に当てる側（内側）のみに金属層を設けた構成を例示した。この構成は、携帯時に金属層が内側に隠れるので、金属層が目立ちにくく、見栄えが良い点で奨励される構成である。しかしながら本発明は、この構成に限定されるものではなく、例えば図７に示す携帯電話機５０の様に、全面に金属層を設けてもよい。図７に示す携帯電話機５０では、ディスプレイ（表示画面）５を除く全ての領域に金属層が設けられている。図７に示す携帯電話機５０では、レシーバ部６、操作スイッチ１０、及びマイク１１の部位についても金属層がある。
【００２９】
また図８に示す携帯電話機５１の様にアンテナ５２が露出した構造のものでは、アンテナ５２を除く全ての表面に金属層を形成させてもよい。図８に示す携帯電話機５１では、ディスプレイ（表示画面）５とアンテナ５２を除く全てのに金属層が設けられている。図８に示す携帯電話機５１では、レシーバ部６、操作スイッチ１０、及びマイク１１の部位についても金属層がある。
【００３０】
即ち図７，図８は、本発明のもう一つの実施形態を示す携帯電話機の斜視図である。
【００３１】
以上説明した各実施形態の携帯電話機１，５０，５１は、公知の携帯電話と同様の方法によって使用される。携帯電話機１，５０，５１からは公知のそれと同様に電波が送信されるが、上記した各実施形態の携帯電話機１，５０，５１では、頭部に当接する側に金属層があり、頭部に照射される電磁波が軽減される。そのため長期間に渡って携帯電話機１，５０，５１を使用しても健康を害する懸念は無い。
【図面の簡単な説明】
【００３２】
【図１】従来技術の携帯電話機（ａ）と、本発明の携帯電話機（ｂ）の使用状態における斜視図である。
【図２】従来技術及び本発明の携帯電話機の携帯時における形状を示す斜視図である。
【図３】金属層を積層するために貼り付けられるシートの断面図である。
【図４】金属層を積層するために貼り付けられるシートの素材の断面図である。
【図５】積層シートの予備加工の手順を示す説明図である。
【図６】本発明の他の実施形態の携帯電話の表面構造を示す断面図である。
【図７】本発明のもう一つの実施形態を示す携帯電話機の斜視図である。
【図８】本発明のさらにもう一つの実施形態を示す携帯電話機の斜視図である。
【符号の説明】
【００３３】
１，５０，５１  携帯電話機
２，３  ケース部
５  ディスプレイ（表示画面）
１０  操作スイッチ
１１  マイク
１２  金属層
２０，２６  シート
２１  金属層
２２  樹脂層
２３  接着剤層
３６，３７  シート素材
５２  アンテナ
【図１】
2006319703.tif 000003
【図２】
2006319703.tif 000004
【図３】
2006319703.tif 000005
【図４】
2006319703.tif 000006
【図５】
2006319703.tif 000007
【図６】
2006319703.tif 000008
【図７】
2006319703.tif 000009
【図８】
2006319703.tif 000010